(57)【要約】【課題】  コストを節約でき、簡便である種苗培養用密封缶を提供する。【解決手段】  一つの中空の納め空間がある密封缶１があり、密封缶１の上部に更に一つの開けられる蓋４０が設けてあり、容器５の内部に膨張剤６及び蛭石７と種子８が埋蔵されている。容器５の底の側部には、孔５０が設けられている。容器５の底の上部に、更に一つの受止台を設けることが可能である。使用者が密封缶４の蓋を開けて適当な水分を注入すると、水分が膨張剤６に吸収され、容器５の内部の膨張剤６に膨張効果が発生して、容器５を押し潰すことによって、容器５内にある膨張剤６及び蛭石７と種子８が密封缶４の中空の納め空間内に満ちるため、美しくて視覚的美感に富んだ花卉培養ができる。【選択図】    図３
0003107933.tif 000002
【実用新案登録請求の範囲】
【請求項１】
花卉培養用密封缶の構造であって、
一つの中空の納め空間がある密封缶であり、密封缶の上部に更に一つの開放可能な蓋が設けてあり、容器の内部に膨張剤及び蛭石と種子が収容されていることを特徴とする花卉培養用密封缶。
【請求項２】
容器の底の側部には、孔が設けられていることを特徴とする請求項１記載の花卉培養用密封缶。
【請求項３】
容器の底の上部に、更に一つの受止台を設けることが可能であることを特徴とする花卉培養用密封缶。
【考案の詳細な説明】
【技術分野】
【０００１】
本考案は、花卉培養用密封缶の構造の改良に関するものであり、特に、該培養密封缶の中空の納め空間内に設ける容器（例えば、天然の卵殻、特に、鶏卵の殻またはアヒル卵の殻が最適）を使って、その中に膨張剤及び蛭石と種子を入れることによって、該花卉培養用密封缶を花卉の育苗に使わせると、一層視覚的変化（雛が殻を破って出てくるように）に富み、生き生きとする効果を持つものになる。
【背景技術】
【０００２】
よって、目下のような暮らしの変化が多く、テンポも速い現代社会では、仕事からのストレスによる緊張感を緩和するために、人々は皆一つまたはそれ以上の多様性のある施設またはレジャー活動をもってストレスを解消しなければならなくなっている。そして、多くのレジャー活動の中では、花の培養または育苗のような園芸が多数の人々に受け入れられるレジャー活動の一つになってきている。それによって、職場で積み重ねたプレッシャーを解消できるし、また、草花の成長過程を観察する楽しみも得られる。ここにて、只従来知られた一種の花卉培養用密封缶をもって一つの実施例を列挙して、更に図面を合わせながら次のように説明する。
【０００３】
図１を参考に説明する。図１は、従来知られた花卉培養用密封缶における全体の外観構造の立体正面を断面で示したイメージ図である。花卉培養用密封缶１の天辺に開けられる缶１の蓋１０を設け、缶１の内部が中空の納め空間になり、その中空の納め空間に効果が長持ちで、ゆっくり放出していく肥料である蛭石２及び育てたい花卉の種子３（花卉の種子３にレザーで刻んだ色彩文字３０または絵図があるもの）を予め設けておくような上述のパーツで組合わせた花卉培養用密封缶である。
【０００４】
次に、図２を参考に説明する。図２は、従来知られた花卉培養用密封缶を実施してから全体としての外観構造の立体正面を断面で示したイメージ図である。花卉培養用密封缶１について、消費者が花卉培養用密封缶１を購入して培養に使いたい場合、缶１の天辺にある蓋１０によって缶を開けることができ、そして、適当な水分を注入したら、簡単に自分が好きな花卉の種苗を育てたり、観察したりすることができる。前述した花卉培養用密封缶１の造型は、密封缶１の本体の中空の納め空間を利用して効果が長持ちでゆっくり放出していく肥料である蛭石２及び育てたい花卉の種子３（花卉の種子３にレザーで刻んだ色彩文字３０または絵図があるもの）を入れることにより、使用者がその缶の天辺にある蓋１０を利用して缶１を開けて適当な水分を注入することができ、そのように作業が完了し、簡単に観賞したい花卉の種苗培養ができるのである。
【０００５】
しかしながら、前述のような培養したい種子３を密封缶１本体の中空の納め空間内に入れる実施方式によると、只密封缶１の蓋１０を開けて適当な水分を注入することだけで、簡単に観賞したい花卉の種苗が培養できるために、上述した従来知られた一種の花卉培養用密封缶１が培養の実施動作においては著しく無味乾燥且つ培養過程における悠々とした美感が乏しい欠点があるのである。
【考案の開示】
【考案が解決しようとする課題】
【０００６】
従って、本考案の考案人は、従来知られた花卉培養用密封缶の構造において種々の欠点があるのを見て、一層変化に富む花卉培養用密封缶でありながら培養する期間に渡って全体の視覚的美感を作るために、長年花卉培養用密封缶の製造に従事してきた経験を以って、本考案の花卉培養用密封缶を作る上での最も優れた構造を考案したのである。
【課題を解決するための手段】
【０００７】
本考案の請求項１に記載したような花卉培養用密封缶であり、花卉の育苗と培養の実施において一層ユニックで、斬新で、変化に富む全体的な美感を持たせるものである。ここにて、花卉培養用密封缶内にもう一つの容器を設けて、容器の中に膨張剤及び蛭石と種子（花卉の種子８にレザーで刻んだ色彩文字８０または絵図があるもの）を入れることができるため、培養過程において花卉培養用密封缶の持つ視覚的効果を目立たせるものになる。
【考案を実施するための最良の形態】
【０００８】
本考案に使われた技術手段及びその効果に関してよりよく実行可能の実施例を挙げながら、図面と符号に合わせて次のように詳述する。
本考案の一実施例による花卉培養用密封缶４は、一つの中空の納め空間のある密封缶４であり、密封缶４の上部に更に開けられる蓋４０が設けられている。その主な特徴とは、密封缶４の中空の納め空間に一つの容器５が設けてあり、容器５の内部に膨張剤６及び蛭石と種子８が埋蔵してあり、また、容器５の底部に孔５０が設けてあり、且つ容器５の底の側部に更に一つの受止台５１を設置することができ、また、受止台５１の周りに効果が長く、ゆっくり放出していく肥料である蛭石７が複数置いてある。
【０００９】
図３及び図４を参考に説明する。花卉培養用密封缶４は、一つの中空の納め空間のある密封缶４であり、密封缶４の上部に開けられる蓋４０が設けられている。その主な特徴とは、密封缶４の中空の納め空間に一つの容器５が設けてあり、容器５の内部に膨張剤６及び蛭石と種子８が埋蔵してあり、また、容器５の底の側部に孔５０が設けてあり、使用者が密封缶４の蓋を開けて適当な水分を注入すると、水分が容器５の内部にある膨張剤６に吸収され、一定の程度まで吸収されると、容器５の内部の膨張剤６に膨張効果が発生して、容器５を押し潰すことによって、容器５内にある膨張剤６及び蛭石７と種子８（花卉の種子８にレザーで刻んだ色彩文字８０または絵図があるもの）が密封缶４の中空の納め空間内に満ちるために、美しくて視覚的美感に富んだ花卉培養ができるものである。
【００１０】
図５及び図６を参考に説明する。これらは、本考案における他の実施例であり、その中においては、その花卉培養用密封缶４は、一つの中空の納め空間のある密封缶４であり、密封缶４の上部に更に開けられる蓋４０が設けられている。その主な特徴とは、密封缶４の中空の納め空間に一つの容器５が設けてあり、容器５の内部に膨張剤６及び蛭石と種子８が埋蔵してあり、また、容器５の底の側部に孔５０及び受止台５１が設けてあり、且つ密封缶４の中空の納め空間にある容器５の外部に効果が長持ちでゆっくり放出していく肥料である蛭石７が設けてあり、使用者が密封缶４の蓋を開けて適当な水分を注入すると、水分が容器５の内部にある膨張剤６に吸収され、一定の程度まで吸収されると、容器５の内部の膨張剤６に膨張効果が発生して容器５を押し潰すことによって、容器５内にある膨張剤６及び蛭石７と種子８（花卉の種子８にレザーで刻んだ色彩文字８０または絵図があるもの）が密封缶４の中空の納め空間内に満ちるために、一層スタイルの違った美感が作り出せるものである。
【００１１】
唯上記に述べられたものは本考案における一つのよりよい実施例に過ぎないため、それを以って本考案の実施範囲を制限することができないものである。凡そ本考案の請求した実用新案請求範囲によって作った均等な変化と修飾は、皆本考案の実用新案範囲に属されるべきである。
【図面の簡単な説明】
【００１２】
【図１】従来の花卉培養用密封缶を示す断面図である。
【図２】従来の花卉培養用密封缶の実施状態を示す断面図である。
【図３】本考案の一実施例による花卉培養用密封缶を示す断面図である。
【図４】本考案の一実施例による花卉培養用密封缶の実施状態を示す断面図である。
【図５】本考案の他の実施例による花卉培養用密封缶を示す断面図である。
【図６】本考案の他の実施例による花卉培養用密封缶の実施状態を示す断面図である。
【符号の説明】
【００１３】
１  密封缶、２  蛭石、３  種子、４  密封缶、５  容器（卵殻）、６  膨張剤、７  蛭石、８  種子、１０  蓋、３０  レーザーで刻んだ色彩文字、４０  蓋、５０  孔、５１  受止台、８０  レーザーで刻んだ色彩文字
【図１】
0003107933.tif 000003
【図２】
0003107933.tif 000004
【図３】
0003107933.tif 000005
【図４】
0003107933.tif 000006
【図５】
0003107933.tif 000007
【図６】
0003107933.tif 000008